(57)【要約】【課題】ガス遮断装置とガス漏れ警報器とが適切に接続されていると判定する時間を短縮し、さらに、判定結果を容易に知ることができるガス遮断装置を提供すること。【解決手段】接続判定部１０９ａは、接続確認信号受信部１０６が出力した接続確認信号の受信回数が、所定の回数、つまり、接続確認信号送出部１０４が送出した接続確認信号と同じ回数、例えば、５回の場合には、ガス遮断装置１００とガス漏れ警報器２００が適切に接続していると判定する。【選択図】図１
2009145011.tif 000002
【特許請求の範囲】
【請求項１】
信号線を介して接続されるガス漏れ警報器に対して常時所定時間間隔で、接続確認信号を送出し、応答信号を確認して前記ガス漏れ警報器が接続されていることを確認するガス遮断装置において、
任意に前記ガス漏れ警報器の接続確認を指示する操作子と、前記ガス漏れ警報器との接続状態を表示する表示部を備え、
前記操作子が操作された場合、前記接続確認信号を、前記所定時間間隔よりも短い時間間隔で、所定回数送出すると共に、前記接続確認信号の応答信号を確認し、当該応答信号の確認により前記表示部がガス漏れ警報器の接続状態を表示することを特徴とするガス遮断装置。
【請求項２】
前記操作子が操作されて接続確認信号が送出された後、応答信号が確認できないときは、誤接続確認信号を所定時間間隔で、所定回数送出すると共に、前記誤接続確認信号の応答信号を確認し、当該応答信号を確認したときは誤接続と判定し、確認できないときは接続不良と判定することを特徴とするガス遮断装置。
【請求項３】
請求項１又は２に記載のガス遮断装置と、前記ガス遮断装置に信号線を介して接続するガス漏れ警報器とから構成されることを特徴とするガス遮断システム。
【発明の詳細な説明】
【技術分野】
【０００１】
本発明は、ガス漏れ警報器が接続されるガス遮断装置、特に、ガス遮断装置にガス漏れ警報器が適切に接続されているか検知し、検知結果を表示できるガス遮断装置に関する。
【背景技術】
【０００２】
ガスの供給を遮断するガス遮断装置とガスの漏れを検知し警報するガス漏れ警報器からなるガス遮断システムが、例えば、特許文献１に開示されている。一般的に、ガス遮断装置とガス漏れ警報器とは、２本の信号線で接続され、この２本の信号線を介してガス遮断装置とガス漏れ警報器との間で信号の送受信を行っている。
【０００３】
ところで、ガス遮断装置とガス漏れ警報器とが適切に接続されていないと、万一のガス漏れ事故の際に警報器が動作せず非常に危険であることから、ガス遮断装置は、常に、所定時間間隔でガス漏れ警報器に確認信号を送出し、送出した確認信号が信号線を介して当該ガス遮断装置に戻ってきた場合には、ガス遮断装置とガス漏れ警報器とが適切に接続されていると判定し、確認している。
【特許文献１】特開２００１−１８３２０７号公報
【発明の開示】
【発明が解決しようとする課題】
【０００４】
しかし、前記確認信号を送出する間隔は、従来から約１分程度であるため、例えば、ガス遮断装置が前記確認信号を３回送出し、ガス漏れ警報器が、前記ガス遮断装置が３回送出した確認信号を全て受信すると、ガス遮断装置とガス漏れ警報器とが適切に接続されていると判定する場合には、判定のために、最低３分間を要していた。これは、確認信号を所定回数送出して判定することにより誤判定を避けるためである。
【０００５】
また、ガス遮断装置は、常に、ガス遮断装置とガス漏れ警報器との接続確認を行うので、ガス遮断装置には、判定結果を表示する表示部が設けられていなかった。そのため、定期点検の際に、ガス漏れ警報器を交換する場合など、新たにガス漏れ警報器をガス遮断装置に接続する場合の接続判定においても、前述のような判定確認処理を実行するので、判定のために最低３分間を要していた。
【０００６】
また、判定結果を表示する表示部が設けられていなかったため、接続状態を検知するためには、動作テストを実施するか、又は、専用の通信機器をガス遮断装置に接続して判定結果を読み出す必要があり、判定結果を容易に知ることができないという問題があった。
【０００７】
本発明は、かかる実情に鑑みてなされたものであり、ガス遮断装置とガス漏れ警報器とが適切に接続されていると判定する時間を短縮し、さらに、判定結果を容易に知ることができるガス遮断装置を提供することを目的とする。
【課題を解決するための手段】
【０００８】
第１の技術手段は、信号線を介して接続されるガス漏れ警報器に対して常時所定時間間隔で、接続確認信号を送出し、応答信号を確認して前記ガス漏れ警報器が接続されていることを確認するガス遮断装置において、任意に前記ガス漏れ警報器の接続確認を指示する操作子と、前記ガス漏れ警報器との接続状態を表示する表示部を備え、前記操作子が操作された場合、前記接続確認信号を、前記所定時間間隔よりも短い時間間隔で、所定回数送出すると共に、前記接続確認信号の応答信号を確認し、当該応答信号の確認により前記表示部がガス漏れ警報器の接続状態を表示することを特徴とするガス遮断装置である。
【０００９】
第２の技術手段は、第１の技術手段において、前記操作子が操作されて接続確認信号が送出された後、応答信号が確認できないときは、誤接続確認信号を所定時間間隔で、所定回数送出すると共に、前記誤接続確認信号の応答信号を確認し、当該応答信号を確認したときは誤接続と判定し、確認できないときは接続不良と判定することを特徴とする。
【００１０】
第３の技術手段は、第１又は第２の技術手段のガス遮断装置と、前記ガス遮断装置に信号線を介して接続するガス漏れ警報器とから構成されることを特徴とするガス遮断システムである。
【発明の効果】
【００１１】
本発明により、ガス遮断装置とガス漏れ警報器とが適切に接続されているか否かを判定する時間を短縮し、さらに、判定結果を容易に知ることができるため、ガス遮断装置の管理者の利便性が向上するのみならず、高度な安全性を確保することができる。
【発明を実施するための最良の形態】
【００１２】
図１は、本発明に係わるガス供給を遮断する機能を有するガス遮断装置１００、及び、当該ガス遮断装置１００に接続され、供給されるガスの漏れを検知して警報するガス漏れ警報器２００のブロック図である。ガス遮断装置１００とガス漏れ警報器２００とは、後述する信号線Ｌ１、Ｌ２を介して接続され、ガス遮断装置１００とガス漏れ警報器２００とからガス遮断システムが構成される。
【００１３】
（ガス遮断装置１００）
１０１は、ガス遮断部で、各機能ブロックの制御を行う制御部１０９の制御を受け、ガス供給を遮断する遮断弁（図示しない）の開閉制御を行う。なお、ガス遮断弁は、ガス供給路に設けられ、当該ガス供給路は、ガス遮断装置１００の内部にあっても、ガス遮断装置１００の外部にあってもよい。
【００１４】
１０２は、前記遮断弁を開栓するスイッチである復帰ボタンや、ガス遮断装置１００を操作するボタン等から構成される操作部で、１０３は、ガス遮断装置１００の状態などを表示する表示部である。
【００１５】
１０４は、ガス遮断装置１００とガス漏れ警報器２００が適切に接続しているか否かを判定するための接続確認信号を、信号線Ｌ１を介して、ガス漏れ警報器２００の接続部に送出する接続確認信号送出部である。
【００１６】
１０５は、ガス漏れ警報器２００との接続インターフェイスを提供する接続部である。接続部１０５は、当該接続部１０５のプラス（＋）端子に接続される信号線Ｌ２、同マイナス（−）端子に接続される信号線Ｌ１を備え、当該信号線Ｌ１、Ｌ２を介して、ガス漏れ警報器２００の接続部と接続される。
１０６は、接続確認信号の応答信号、つまり、接続確認信号送出部１０４が送出した接続確認信号を受信する接続確認信号受信部で、単位時間あたりの当該接続確認信号の受信回数を制御部１０９に出力する。
なお、接続確認信号送出部１０４、接続確認信号受信部１０６の詳細な説明については後述する。
【００１７】
１０７は、ガス遮断装置１００とガス漏れ警報器２００が誤って接続しているか否かを判定するための誤接続確認信号を、信号線Ｌ２を介して、ガス漏れ警報器２００の接続部に送出する誤接続確認信号送出部である。
１０８は、誤接続確認信号の応答信号、つまり、誤接続確認信号送出部１０７が送出した誤接続確認信号を受信する誤接続確認信号受信部で、単位時間あたりの当該誤接続確認信号の受信回数を制御部１０９に出力する。
なお、誤接続確認信号送出部１０７、誤接続確認信号受信部１０８の詳細な説明については後述する。
【００１８】
制御部１０９は、接続確認信号受信部１０６が出力した単位時間あたりの当該接続確認信号の受信回数、誤接続確認信号受信部１０８が出力した単位時間あたりの当該誤接続確認信号の受信回数を基にガス遮断装置１００とガス漏れ警報器２００が適切に接続しているか否かを判定する接続判定部１０９ａを有する。接続判定処理の詳細については後述する。
なお、Ｂ（点線）は、バスである。
【００１９】
（ガス漏れ警報器２００）
２０１は、ガス漏れを検知するガス漏れ検知部である。ガス漏れ検知部２０１は、ガス漏れを検知し、当該検知したガス漏れが所定時間以上続くと、ガス遮断装置１００のガス遮断部１０１にガス漏れ検知信号を送出する。前記ガス漏れ検知信号を受信したガス遮断部１０１は、ガス供給を遮断する遮断弁を閉じる。同様に、前記検知信号を警報部２０２に出力する。
【００２０】
警報部２０２は、ガス漏れ検知部２０１が出力したガス漏れ検知信号を受信すると、ガスが漏れたことをビープ音、音声などにより警報する。また、図示しないＬＥＤや表示部を介して、ガスが漏れたことを報知する。
【００２１】
２０３は、ガス遮断装置１００との接続インターフェイスを提供する接続部である。接続部２０３は、当該接続部２０３のプラス（＋）端子に接続される信号線Ｌ２、同マイナス（−）端子に接続される信号線Ｌ１を備え、当該信号線Ｌ１、Ｌ２を介して、ガス遮断装置１００の接続部と接続される。
２０４は、各機能ブロックを制御する制御部である。
【００２２】
ＰＣ１は、ダイオードであり、当該ダイオードＰＣ１によって、矢印Ｃ方向しか信号は流れない。ＰＣ２は、フォトトランジスタである。なお、Ｂ（点線）は、バスである。
【００２３】
図２〜図４を用いて、ガス遮断装置１００とガス漏れ警報器２００とが適切に接続されているか否かを判定する接続判定処理、及び、誤接続判定処理について説明する。
（接続判定処理）
図２は、接続確認信号送出部１０４が送出する接続確認信号のタイミングチャートである。
接続確認信号送出部１０４が、所定の間隔、例えば、１分間隔で、常時、接続確認信号を送出している場合において、ガス遮断装置１００の管理者が、任意にガス漏れ警報器２００の接続確認を指示する操作子、例えば、操作部１０２の復帰ボタンを操作すると、当該復帰ボタンの操作を検出した制御部１０９は、接続確認信号送出部１０４に、前記所定の時間間隔よりも短い時間間隔で、接続確認信号を送出するように指示する。
【００２４】
この場合において、前記指示を受けた接続確認信号送出部１０４は、接続確認信号を、所定の方向（矢印Ｃ）から、前記短い時間間隔、例えば１秒間隔で、所定回数、ガス漏れ警報器２００の接続部に送出する。図２のタイミングチャートでは、接続確認信号送出部１０４は、１秒間隔で、５回、接続確認信号を送出する。
送出された接続確認信号は、矢印Ｃで示した経路を経由し、接続確認信号受信部１０６によって受信される。
【００２５】
また、制御部１０９は、接続確認信号送出部１０４に前記接続確認信号を送出するように指示すると同時に、接続確認信号受信部１０６に接続確認信号を受信する受信状態に移行するように指示する。
接続確認信号受信部１０６は、前記受信状態に移行後、接続確認信号の受信回数を計測し、計測した受信回数を制御部１０９の接続判定部１０９ａに出力する。
【００２６】
接続判定部１０９ａは、接続確認信号受信部１０６が出力した接続確認信号の受信回数が、所定の回数、つまり、接続確認信号送出部１０４が送出した接続確認信号と同じ回数、例えば、５回の場合には、ガス遮断装置１００とガス漏れ警報器２００が適切に接続していると判定する（応答信号の確認）。前記所定の回数未満（応答信号が確認できないとき）の場合には、後述のように、ガス遮断装置１００とガス漏れ警報器２００が適切に接続していない、すなわち、誤接続であると判定する。
【００２７】
そして、判定結果を、表示部１０３に出力する。前記判定結果を受信した表示部１０３は、図１で示したガス遮断装置１００とガス漏れ警報器２００が適切に接続している場合には、表示部１０３の液晶パネルに“接続ＯＫ”と表示したり、青色ＬＥＤを点灯する等して、適切に接続していることを表示する。このように、応答信号の確認により、表示部１０３にガス漏れ警報器２００の接続状態が表示される。
【００２８】
また、ガス遮断装置１００とガス漏れ警報器２００が適切に接続していない場合、例えば、図３に示すようにガス遮断装置１００に対して、ガス漏れ警報器２００が逆に接続されている場合には、前記液晶パネルに“逆接続”と表示したり、黄色ＬＥＤを点灯する等して、適切に接続していないことを表示する。
【００２９】
図４は、ガス遮断装置３００（１００）の外観図であり、例えば、当該装置３００の前面に、液晶パネル３０１及びＬＥＤ３０２（表示部１０３）、復帰ボタン３０３（操作部１０２）が配設され、前述した、ガス遮断装置１００とガス漏れ警報器２００との接続状態を液晶パネル３０１、ＬＥＤ３０２を介して、管理者に表示する。
【００３０】
以後、接続確認信号送出部１０４は、接続確認信号を前記所定の時間間隔（１分間隔）でガス漏れ警報器２００の接続部に送出する（図２参照）。
【００３１】
（誤接続判定処理）
図３に示したように、ガス遮断装置１００に対して、ガス漏れ警報器２００が逆に接続されている場合には、図１に示した場合とは異なり、ダイオードＰＣ１の整流作用によって、矢印Ｃ方向ではなく矢印Ｗ方向にしか信号は流れない。このような場合に実行される誤接続判定処理について説明する。
【００３２】
前述した接続判定処理において誤接続と判定された後、制御部１０９は、誤接続確認信号送出部１０７に前記誤接続確認信号を送出するように指示する。
【００３３】
前記指示を受けた誤接続確認信号送出部１０７は、前記所定の方向（矢印Ｃ）とは逆の方向（矢印Ｗ）から、誤接続確認信号を前記所定の時間間隔よりも短い時間間隔、例えば１秒間隔で５回ガス漏れ警報器２００の接続部に送出する。
送出された誤接続確認信号は、矢印Ｗで示した経路を経由し、誤接続確認信号受信部１０８によって受信される。
【００３４】
また、制御部１０９は、誤接続確認信号送出部１０７に誤接続確認信号を送出するように指示すると同時に、誤接続確認信号受信部１０８に誤接続確認信号を受信する受信状態に移行するように指示する。
誤接続確認信号受信部１０８は、前記受信状態に移行後、誤接続確認信号の受信回数を計測し、計測した受信回数を制御部１０９の接続判定部１０９ａに出力する。
【００３５】
接続判定部１０９ａは、誤接続確認信号受信部１０８が出力した誤接続確認信号の受信回数が、所定の回数、誤接続確認信号送出部１０７が送出した誤接続確認信号と同じ回数、例えば、５回の場合には、ガス遮断装置１００とガス漏れ警報器２００が誤接続と判定する（応答信号の確認）。そして、判定結果を表示部１０３に出力する。
【００３６】
一方、誤接続確認信号受信部１０８が出力した誤接続確認信号の受信回数が、前記所定の回数未満（応答信号が確認できないとき）の場合には、ガス遮断装置１００とガス漏れ警報器２００が、信号線Ｌ１、Ｌ２の断線などを原因とする接続不良状態にあると判定し、当該判定結果を表示部１０３に表示する。
具体的には、図４に示した、液晶パネル３０１に“接続不良”と表示したり、赤色ＬＥＤを点灯する。
【００３７】
このように、接続判定処理において誤接続と判定された後、誤接続判定処理を実行することで、より確実な接続結果情報を得ることができる。
【図面の簡単な説明】
【００３８】
【図１】ガス遮断装置、警報器のブロック図である。
【図２】接続確認信号送出部が送出する接続確認信号のタイミングチャートである。
【図３】ガス遮断装置に警報器が誤接続されている状態を示すブロック図である。
【図４】ガス遮断装置の外観図である。
【符号の説明】
【００３９】
１００…ガス遮断装置、１０１…ガス遮断部、１０２…操作部、１０３…表示部、１０４…接続確認信号送出部、１０５…接続部、１０６…接続確認信号受信部、１０７…誤接続確認信号送出部、１０８…誤接続確認信号受信部、１０９…制御部、１０９ａ…接続判定部、２００…ガス漏れ警報器、２０１…ガス漏れ検知部、２０２…警報部、２０３…接続部、３００…ガス遮断装置、３０１…液晶パネル、３０２…ＬＥＤ、３０３…復帰ボタン、Ｌ１、Ｌ２…信号線、ＰＣ１…ダイオード、ＰＣ２…フォトトランジスタ。
【図１】
2009145011.tif 000003
【図２】
2009145011.tif 000004
【図３】
2009145011.tif 000005
【図４】
2009145011.tif 000006